(57)【特許請求の範囲】
【請求項１】
薬液を貯留する薬液タンク（１８）と、該薬液タンク（１８）からの薬液を圃場に散布するセンターブーム（４３）と、該センターブームの左右に配置したサイドブーム（４４）と、車速検出手段（５，６）と、左右のサイドブーム（４４）の上下動をそれぞれ行うための上下シリンダ（２９）と、左右の車輪（１２）の切れ角を検出する操舵角センサ（７）と、薬液タンク（１８）と薬液散布ブーム（４３，４４）との間の薬液流路に設けた薬液を吐出する防除ポンプ（６５）と、該防除ポンプ（６５）の設置箇所より後流側の薬液流路に設けた薬液の吐出圧力を調整する薬液流量調節弁（７３）とを設け、前記車速検出手段（５，６）により得られる車速と予め設定された単位面積当たりの薬液散布量（Ａ）との関係から防除ポンプ（６５）の吐出圧力を計算し、該吐出圧力計算値に一致するように前記流量制御モータ（１０）による薬液流量調節弁（７３）の開度調整を行う薬剤散布作業車両において、操舵角センサ（７）の旋回角度が所定値に達すると自動的に旋回外側のサイドブーム（４４）の上昇を行い、一旦直進走行の後、再び操舵角センサ（７）の旋回角度が所定値に達すると、自動的に旋回外側のサイドブーム（４４）の下降を行い、その後旋回開始から１８０度の旋回が終了すると直進走行に入る構成とし、前記旋回時のサイドブーム（４４）の設定された上昇時間に定数（Ｋ）を乗算した値を旋回時のサイドブーム（４４）の下降時間として設定する構成とし、前記定数（Ｋ）を変更可能に構成し、前記操舵角センサ（７）による旋回検知前に旋回外側のサイドブーム（４４）を手動で上昇操作を行い、この手動操作時間が一定時間以上継続する場合は、操舵角センサ（７）により旋回が検知されても、旋回外側のサイドブーム（４４）を自動的に上昇させない構成として設定する制御装置（１００）を備えたことを特徴とする薬液散布作業車両。
【請求項２】
操舵角センサ（７）の旋回角度に基づき自動的に行う旋回外側のサイドブーム（４４）の昇降制御の入り切りを設定可能にするサイドブーム昇降制御の入切設定手段（２２）と、該入切設定手段（２２）により設定されたサイドブーム（４４）の昇降状態をモニタ画面に表示する画像表示手段（４１）を制御装置（１００）が備えていることを特徴とする請求項１記載の薬剤散布作業車両。
【発明の詳細な説明】
【技術分野】
【０００１】
この発明は、薬液タンクに収容された薬液を圃場に散布する薬剤散布作業車両に関する。
【背景技術】
【０００２】
従来、センターブーム及びその両側に拡げることができるサイドブームからなる薬液の散布ブームを機体の前部にローリング自在に支持して設け、これらの散布ブームから薬液などを圃場で生育中の散布対象の作物に噴霧する薬剤散布作業車両があり、該薬剤散布作業車両の車速を、車体に設けた車速センサの他にＧＰＳを利用して測定する構成も知られている。
【先行技術文献】
【特許文献】
【０００３】
【特許文献１】特開２００４−８１８７号公報
【発明の概要】
【発明が解決しようとする課題】
【０００４】
前記特許文献１記載の発明によれば、ＧＰＳ受信機を搭載してＧＰＳから得た位置情報と速度情報を検出し、得られた位置情報と速度情報に基づき作業車両の走行開始から散布した薬液の使用量を検出し、薬液タンクへの薬液補充タイミングを予測することができる構成が開示されている。
しかし、上記特許文献１記載の薬剤散布作業車両の左右に拡げたサイドブームから薬液を圃場に散布する途中で、該作業車両が畦際で旋回する場合には旋回外側のサイドブームが畦畔に接触しないように上げ操作していた。ところが、薬剤散布作業車両の操縦その他の作業中に畦際に近づくと、旋回外側のサイドブームを畦に接触させないように手動で上げ操作することが面倒で、うっかり忘れてサイドブームが畦に接触して損傷することもあった。そこで、本出願人は、旋回時又は旋回終了時に旋回外側のサイドブームを自動的に上昇又は下降させる制御を安全性を考慮して行える薬剤散布作業車両の開発を行い、それに関する特許出願を行っている。
本発明の課題は、さらに自動的に上昇又は下降させる制御を安全に行える薬剤散布作業車両を提供することである。
【課題を解決するための手段】
【０００５】
上記本発明の課題を解決するために次のような解決手段を採用する。
請求項１記載の発明は、薬液を貯留する薬液タンク（１８）と、該薬液タンク（１８）からの薬液を圃場に散布するセンターブーム（４３）と、該センターブームの左右に配置したサイドブーム（４４）と、車速検出手段（５，６）と、左右のサイドブーム（４４）の上下動をそれぞれ行うための上下シリンダ（２９）と、左右の車輪（１２）の切れ角を検出する操舵角センサ（７）と、薬液タンク（１８）と薬液散布ブーム（４３，４４）との間の薬液流路に設けた薬液を吐出する防除ポンプ（６５）と、該防除ポンプ（６５）の設置箇所より後流側の薬液流路に設けた薬液の吐出圧力を調整する薬液流量調節弁（７３）とを設け、前記車速検出手段（５，６）により得られる車速と予め設定された単位面積当たりの薬液散布量（Ａ）との関係から防除ポンプ（６５）の吐出圧力を計算し、該吐出圧力計算値に一致するように前記流量制御モータ（１０）による薬液流量調節弁（７３）の開度調整を行う薬剤散布作業車両において、操舵角センサ（７）の旋回角度が所定値に達すると自動的に旋回外側のサイドブーム（４４）の上昇を行い、一旦直進走行の後、再び操舵角センサ（７）の旋回角度が所定値に達すると、自動的に旋回外側のサイドブーム（４４）の下降を行い、その後旋回開始から１８０度の旋回が終了すると直進走行に入る構成とし、前記旋回時のサイドブーム（４４）の設定された上昇時間に定数（Ｋ）を乗算した値を旋回時のサイドブーム（４４）の下降時間として設定する構成とし、前記定数（Ｋ）を変更可能に構成し、前記操舵角センサ（７）による旋回検知前に旋回外側のサイドブーム（４４）を手動で上昇操作を行い、この手動操作時間が一定時間以上継続する場合は、操舵角センサ（７）により旋回が検知されても、旋回外側のサイドブーム（４４）を自動的に上昇させない構成として設定する制御装置（１００）を備えたことを特徴とする薬液散布作業車両である。
【０００６】
請求項２記載の発明は、操舵角センサ（７）の旋回角度に基づき自動的に行う旋回外側のサイドブーム（４４）の昇降制御の入り切りを設定可能にするサイドブーム昇降制御の入切設定手段（２２）と、該入切設定手段（２２）により設定されたサイドブーム（４４）の昇降状態をモニタ画面に表示する画像表示手段（４１）を制御装置（１００）が備えていることを特徴とする請求項１記載の薬剤散布作業車両である。
【０００７】
【０００８】
【０００９】
【発明の効果】
【００１０】
請求項１記載の発明によれば、サイドブーム（４４）の上昇時間と下降時間をそれぞれ設定し、記憶できることにより、サイドブーム（４４）の上昇時間に応じた上昇量に合わせたサイドブーム（４４）の下降時間を設定でき、オペレータの車両操縦能力に応じた薬液散布のタイミングを決めることができる。そのため、旋回終了してない間にサイドブーム（４４）が下降完了したものとして薬液散布をはじめるなどの不具合がなくなる。また、前記サイドブーム（４４）が下降完了してない間に車両が直進する領域を作るような不具合もなくなる。また、圃場の状況、即ち旋回外側の畦等の障害物が低い場合などにおいては、旋回外側のサイドブームを上昇させすぎないようにすることで、下降する時間も早くなるので、速やかに次工程の散布作業を開始可能となる。
【００１１】
また、上昇時間に定数（Ｋ）を乗算した値を下降時間として設定してサイドブーム（４４）の下降時間に応じた適切な下降量とすることで、オペレータの車両操縦能力に応じて薬液散布のタイミングを決めることができ、旋回終了してない間にサイドブーム（４４）が下降完了したものとして薬液散布をはじめるなどの不具合がなくなる。
【００１２】
また、定数（Ｋ）は変更可能であることから、新たな下降時間を設定することができるので、より適切なサイドブーム（４４）の下降時間が得られる。旋回開始から１８０度の旋回が終了したときの薬液散布の開始タイミングをより適切に設定することができる。
【００１３】
また、旋回前に既にサイドブーム（４４）が手動で上昇操作されると、旋回が始まっても旋回外側のサイドブーム（４４）を自動上昇させないので、旋回外側のサイドブーム（４４）が上昇し過ぎることを防ぐことができる。作業者の意図以上に上昇させないことで、下降が速やかに実施され、次工程の散布作業が容易に実行可能となる。
【００１４】
請求項２記載の発明によれば、請求項１記載の発明に加えて、サイドブーム（４４）の昇降状態をオペレータは画像表示手段（４１）のモニタ画面で目視できるので薬液散布作業性に優れた走行車両が得られる。
【図面の簡単な説明】
【００１５】
【図１】本発明の一実施形態による薬剤散布作業車の側面図である。
【図２】図１の薬剤散布作業車の平面図である。
【図３】図１の薬剤散布作業車のコントローラパネルの平面図である。
【図４】図１の薬剤散布作業車の制御ブロック図である。
【図５】図１の薬剤散布作業車の本機コントローラと防除機コントローラの構成図である。
【図６】図１の薬剤散布作業車の薬剤散布配管系統の構成図である。
【図７】図１の薬剤散布作業車の薬剤散布制御のフローチャートである。
【図８】図１の薬液散布作業車両のサイドブームの昇降制御のフローチャートである。
【図９】図１の薬液散布作業車両の圃場端部での走行様態を説明する図である。
【図１０】図１の薬液散布作業車両のサイドブームの昇降制御のフローチャートである。
【図１１】図１の薬液散布作業車両のサイドブームの昇降制御のフローチャートである。
【図１２】図１の薬液散布作業車両のサイドブームの昇降制御のフローチャートである。
【図１３】図１の薬液散布作業車両のサイドブームの昇降制御のフローチャートである。
【図１４】図１の薬液散布作業車両の圃場コーナ部での走行様態を説明する平面図である。
【図１５】図１の薬液散布作業車両の薬液散布制御のフローチャートである。
【図１６】図１の薬液散布作業車両のサイドブームの昇降制御のフローチャートである。
【図１７】図１の薬液散布作業車両のサイドブームの昇降制御のフローチャートである。
【図１８】図１の薬液散布作業車両のサイドブームの昇降制御のフローチャートである。
【図１９】図１の薬液散布作業車両の圃場コーナ部での走行様態を説明する平面図である。
【図２０】図１の薬液散布作業車両の薬液散布制御のフローチャートである。
【図２１】図１の薬液散布作業車両の薬液散布制御のフローチャートである。
【発明を実施するための形態】
【００１６】
以下、図面に基づいてこの発明の実施態様について説明する。
図１に薬剤散布装置を前部に取り付けた薬剤散布作業車の側面図を示し、図２には薬剤散布作業装置部分の平面図を示す。なお、本明細書では薬剤散布作業車の前進方向に向かって左右方向をそれぞれ左、右という。
【００１７】
薬剤散布作業車の車体（車体フレーム）１は、前輪１２及び後輪１３を軸装するアクスルハウジングをローリング自在に支持する。また、ハンドルポスト５９により支持されたステアリングハンドル１４の回転操作により前輪１２を操向すると共にボンネット１５下のエンジン（図示せず）によって伝動走行される。この車体１には操縦席１７の後部から左右両側にわたって囲うように形成された薬液タンク１８を車体１に対し着脱自在に搭載し、この薬液タンク１８内の薬液を前側に設けられる散布ブーム１９へ圧送する防除ポンプ６５が車体１の操縦席１７の下方に設けられている。
【００１８】
操縦席１７の左側下方でフロア５４の上方に位置する薬液タンク１８の左側部には、オペレータ一人が乗り降りできる程度の凹部Ｓが設けられ、該凹部Ｓの底面にタンク側ステップ５０が設けられている。タンク側ステップ５０の外側下方には、本機側ステップ５３が設けられている。この本機側ステップ５３は、上面５３Ａが、フロア５４と薬液タンク１８の底面とほぼ同一高さとなる位置にある。
【００１９】
本機側ステップ５３の下方には、フロア５４から吊り下げ式に設置された梯子部材５５が設けられている。梯子部材５５は任意の段数、例えば２段のステップを有している。これらの梯子部材５５、本機側ステップ５３及びタンク側ステップ５０は所定の間隔で配置されている。このような構成によりオペレータは、梯子部材５５のステップ、本機側ステップ５３及びタンク側ステップ５０を順に登ることにより、安全かつ容易に操縦席１７に到達して乗車できる。
【００２０】
本機のフロア５４に薬液タンク１８を搭載する自走型薬剤散布作業車において、薬液タンク１８は本機ダッシュパネル５６付近まで前方に突出している。一方、薬液タンク１８は上面視でオペレータの足元まで完全に覆い囲った略コの字状の構造を有している。このような構造により薬液タンク１８の高さを増加させずにタンク容量を増大させると共に後進時の見通しを確保できる。また、薬液タンク１８を前方に長くすることにより、薬液タンク１８内の水量の変位による機体の重心移動を小さく抑え、薬剤散布作業時の機体バランスを安定させ、走行性能を高めることができ、機体が後傾して沈没するという事態を回避できる。
なお、図２では薬液タンク１８の上面が略コの字形状の略直方体形状のものを図示しているが、これに限定されず、タンク側ステップ５０を有する形状であれば任意の形状にすることができる。
【００２１】
薬液タンク１８の先端部形状は、フロア５４のフロントに上方へ浮き上がるように湾曲させた傾斜部５１と密着するように形成されている。従って、薬液タンク１８を後方から前方へ移動させて傾斜部５１で合致させて止めることができる。このような構造により前輪１２の横揺れ等によるタイヤと薬液タンク１８の干渉を防止でき、薬液タンク１８の本機のフロア５４上での接地性を高め、タンク１８の安定性を高めることができる。
【００２２】
前記車体１の前部には、ボンネット１５の左右両側部に支持されたリフトリンク３が取り付けられている。リフトリンク３は、アッパリンク２４とロワリンク２５を平行状に配置して、この前端部間をヒッチブラケット４で連結し、後端部間を直立した支柱２３に軸支して平行リンク形態に構成され、この平行リンクが昇降シリンダ２７，２７により先端部が昇降移動することで散布ブーム１９の薬剤散布高さを調節することができる。
【００２３】
ヒッチブラケット４の下端部には機体左右方向に伸びるセンターブーム４３を取り付けている。またその左右端部に上方に突出したシリンダ取付支柱２６が設けられ、シリンダ取付支柱２６の上端には電気的に作動制御される油圧タンク付ソレノイドバルブ２８を介して伸縮するローリングシリンダである上下シリンダ（ローリングシリンダ）２９の上端が取り付けられ、上下シリンダ２９の下端にはサイドブーム４４が回動自在に取り付けられている。従って、上下シリンダ２９の伸縮によりサイドブーム４４が昇降される。なお、サイドブーム４４は機体の両サイドに収納されるときはサイドブーム受け４０で機体に支持される。
【００２４】
前記散布ブーム１９は、センターブーム４３と、このセンターブーム４３の外側に折畳可能に連結されるサイドブーム４４とから構成され、各々薬液噴霧用の噴霧ノズル４５（４５ａ，４５ｂ）が一定間隔で配置されている。
サイドブーム４４はシリンダ取付支柱２６を介してセンターブーム４３に取り付けられているが、サイドブーム４４はセンターブーム４３に設けられた開閉シリンダ３０により開閉される。サイドブーム４４の開閉角度は開閉シリンダ３０の基部に設けたブーム角度右センサ１３８ａとブーム角度左センサ１３８ｂ（図４）によって検出される。また、サイドブーム４４は図示しない装置によって長手方向に伸縮可能である。
【００２５】
図３には、図１の薬剤散布作業車に設ける防除用コントローラパネル１２０の平面図を示す。図３（ａ）には、表示部が小さめのコントローラパネル１２０を示す。図３（ａ）に示すように、ボンネット１５の上部に設けたコントローラパネル１２０には、中央上部のディスプレイ（表示部）１２２の左側に上位から散布設定１２３、圧力１２４、流量１２５、流量累計１２６等の表示部が表示されていて、複数の異なる散布条件を表示する構成である。ディスプレイ１２２の左端部に点灯されるインジケータ（三角マーク）１２２ａによって、このディスプレイ１２２に表示されるデータ内容が指示される。ディスプレイ１２２の右側には表示切換用の表示切換ボタン１２８が設けられている。
【００２６】
また、これらの下方には、散布条件に基づいて自動的に薬剤を散布する自動薬剤散布モードを設定するための自動スイッチ１２９が設けられ、この自動スイッチ１２９を押して自動の散布制御を行うとき（自動スイッチ１２９がオンのとき）は、パイロットランプ１３０が点灯する。この状態で、もう一度自動スイッチ１２９を押すと、パイロットランプ１３０が消灯して、手動で薬剤を散布する手動薬剤散布モードに切り換わる。手動散布では、防除ポンプ６５の入り切りはポンプスイッチ８の入り切りにより行う。また、手動散布では、停車中でも散布することができる。更に、散布設定スイッチ１３１、増減ボタンスイッチ１３２、１３３、累計リセットスイッチ１３４等が配置されている。
【００２７】
なお、図３（ｂ）に示すように、表示部が大きめのコントローラパネル１２０を採用しても良い。図３（ａ）に示すディスプレイ１２２とは違って、図３（ｂ）に示すディスプレイ１２２は圃場番号、圃場面積、散布薬剤の種類、設定散布量、散布圧力、累計値が一つの画面に表示されるため、見やすく、分かりやすい。また、散布量スイッチ１３６を押すと薬剤の散布量を変更でき、圧力スイッチ１３７を押すと散布圧力を変更できる。
【００２８】
そして、オペレータによって自動スイッチ１２９が押されて自動制御が選択されると（自動スイッチ１２９を入りにする）、後述する車速センサ６等からの信号により散布（防除ポンプ６５）の入り切りを行う。
また、この薬剤散布作業車は、サイドブーム４４，４４を自動的に水平に動作させるための自動水平制御機能を有する制御装置１００を備えている。ここで自動水平制御動作とは、開閉シリンダ３０，３０によりサイドブーム４４，４４をセンターブーム４３の延長線上の水平方向（機体の進行方向に向かって左右方向）に開き、さらに上下シリンダ２９，２９であるローリングシリンダを用いてサイドブーム４４，４４が前記水平状態になるように制御することをいう。すなわち、機体が左右方向に傾斜してもサイドブーム４４，４４を水平に維持する制御である。サイドブーム４４と一体で傾斜するリフトリンク３にサイドブーム４４の傾斜を検出するリンク傾斜センサ８２が設けられているので、機体が左右方向に傾斜するとリンク傾斜センサ８２が傾斜の検出を開始するが、直ぐにリンク傾斜センサ８２の傾斜が無くなる（０度検出）ように、前記上下シリンダ２９，２９を作動させてサイドブーム４４を水平に維持する。もちろん、このとき機体は傾斜した状態である。
【００２９】
次に上記構成の薬剤散布作業車の制御部について説明する。図４には、図１の薬剤散布作業車の制御ブロック図を示す。
この制御ブロック図に示すように、制御装置（ＣＰＵ）１００には薬剤散布作業車の車速を検出する車速センサ（車速検出手段）６、左右の前輪１２，１２の操舵角θ（旋回方向も検出）を検出する操舵角センサ（操舵角検出手段）７、薬剤散布の入り・切り用のポンプスイッチ（ポンプスイッチセンサ）８、ブーム昇降用の上下シリンダ２９，２９のストロークセンサ９、薬液の散布圧力を検出する圧力センサ１１、薬液の流量を制御する流量制御弁７３の弁開度センサ１６、ＧＰＳアンテナ（受信機）８１からの信号を受信する入力回路などが接続し、操舵装置（ハンドル１４や車輪操舵用の油圧シリンダと該シリンダ作動用のソレノイド等からなる）のソレノイド（本実施例の薬剤散布作業車はＦＷＳ、４ＷＳ、ＲＷＳを装備しており、４輪全て油圧シリンダで動く構成である。）、昇降ソレノイド３２（シリンダ２９用）、水平ソレノイド３４（開閉シリンダ３０用）、ブザー３６、表示部１２２への出力回路等が接続している。
なお、図４には全てのセンサ、スイッチ類を表示していない。
【００３０】
図５には、図１の薬剤散布作業車の本機コントローラと防除機コントローラの構成図を示す。
図５に示すように、薬剤散布作業車（本機）のコントローラ１００と薬液タンク１８と薬剤散布用ブーム４３，４４と薬液ホース６１，６６などとその流量制御弁７３などから構成される防除機Ｂ（図６）のコントローラ１０１から本実施例のコントローラは構成され、本機のコントローラ１００にはＧＰＳ受信機８１が接続される。該ＧＰＳ受信機８１は複数のＧＰＳ衛星からの信号を受信し、本機の現在位置データとして記憶すると共に、時計回路で計測する所定時間毎に現在位置データを更新しながら移動距離を算出し、該時計回路による所定時間おきに速度、即ち車速を本機コントローラ１００にある車速算出手段５により算出する構成としている。また、本機コントローラ１００には車軸の回転数から車速を検出する車速センサ６からも入力がある。
【００３１】
本実施例の薬剤散布作業車では、該作業車に搭載して車速に連動して薬液を散布する防除機Ｂ（図６）において、薬液濃度と車速等により薬剤散布量を決めて防除ポンプ６５の薬液吐出量を決める。なお、前記ＧＰＳ受信機８１はＧＰＳからの車両速度情報と位置情報を得ることができる。
従って、ＧＰＳから位置情報と速度情報を受信できるＧＰＳ受信機８１に基づきコントローラ１００の車速算出手段５による算出車速と車輪１２、１３のいずれかの車軸の回転数を検出する車速センサ６からの検出車速のいずれか又は車速算出手段５及び車速センサ６による両方の車速の平均値などを実車速とすることができる。
【００３２】
図６には、図１の薬剤散布作業車の薬剤散布配管系統の構成図を示す。
また、この薬剤散布作業車は、薬液タンク１８からの給水路（ホース）６１に給水コック６２を設け、該給水コック６２より下流の給水路（ホース）６１に設けたサクションフィルタ６４の出口部に防除ポンプ６５を設けている。該防除ポンプ６５の出口部には吐水ホース６６を接続し、該吐水ホース６６の先端は薬液路６７を介して噴霧コック６９の設置部に接続している。前記吐水ホース６６と薬液路６７の間に上流側から順に安全弁７０とエアチャンバー７１と流量制御弁７３と流量センサ７４が設置されている。
【００３３】
また安全弁７０の圧力設定部の吐水ホース６６と薬液タンク１８との間に余水ホース７５が接続されている。前記安全弁７０を開いておくと、吐水ホース６６内の余分な薬液を薬液タンク１８に還流させることができる。また、余水ホース７５の設置部より上流側の吐水ホース６６から分岐して薬液タンク１８に接続した攪拌ホース７９も設けられている。なお、流量制御弁７３は図４の制御ブロック図に示す流量制御モータ１０により開度が制御される。
【００３４】
薬液タンク１８内の薬液は噴霧コック６９を経由して前記センターブーム４３，サイドブーム４４に供給される。各ブーム４３，４４への薬液の単位面積（例えば１０アール）当たりの供給量（Ａ）は流量制御弁７３で調整できる。
ＧＰＳ受信機８１からの速度データや位置データを本機コントローラ１００で受信し、該速度、位置データを演算して車速算出手段５により速度を算出し、得られた値を速度信号に変換した後、防除機コントローラ１０１にシリアル通信で車速算出手段５による車速（第１車速（ＶＧ））として送信する。また、前述のように本機には車軸の回転数を車速パルスで計測する車速センサ６が設けられており、該車速センサ６からも車速（第２車速（Ｖｓ））を得ることができる。こうしてＧＰＳ受信機８１から得られる車速算出手段５に基づく第１車速（ＶＧ）と本機に設けた車速センサ６から得られる第２車速（Ｖｓ）を本機側のコントローラ１００で計算し、ＣＡＮ通信により防除機コントローラ１０１に速度データを送り、薬剤散布制御に利用する構成（薬剤散布機能）とすることもできる。通常は、車両の発進直後と停止直前は車速センサ６に基づく第２車速（Ｖｓ）を車速とし、安定走行時にはＧＰＳによる第１車速（ＶＧ）を車速とする場合が多い。
【００３５】
ここで本実施例の薬剤散布の基本手順を説明する。
まず、オペレータが１０アール当たりの散布量Ａ（リットル/１０アール）を決定し、次いで薬剤散布作業を開始すると、ＧＰＳに基づく第１車速（ＶＧ）と本機に設けた車速センサ６から得られる第２車速（Ｖｓ）がそれぞれ車速Ｖ（ｍ/ｓ）を検知する。そして制御装置１００，１０１が前記第１車速（ＶＧ）と第２車速（Ｖｓ）（以下、単に車速（ＶＧ）、車速（Ｖｓ）と言う。）の中のどちらかの車速又は両方の車速に基づく１０アール当たりの設定薬剤散布量Ａに対応した薬液噴霧圧力を計算し、該計算圧力値と実際の吐水ホース６６の圧力Ｐが一致するように流量制御弁７３を制御して、ブーム４３，４４のノズル４５ａ，４５ｂからの薬剤散布量を変化させ、１０アール当たりの薬剤散布量Ａを設定して作業すれば、車速（ＶＧ，Ｖｓ）の変動があっても薬液流量が制御され、設定散布量通りに圃場に均一に薬液を散布できる。
【００３６】
防除機コントローラ１０１に車速測定手段がなくても、防除機（薬剤散布装置）Ｂが連結される本機側の車速測定手段を用いて防除機Ｂでも車速（Ｖｓ）を測定することができるだけでなく、上記図５に示す構成により、本実施例の防除機Ｂとは別の粉粒体肥料を散布する可変施肥装置等の薬剤散布装置（図示せず）に設けたコントローラを本機コントローラ１００とは別に搭載している場合でも、可変施肥装置等の薬剤散布装置は、そのまま車速を使用することができる。
【００３７】
図７には、図１の薬剤散布作業車の薬剤散布制御のフローチャートを示す。
このとき得られる車速として図７に示すように前記ＧＰＳで得られた車速算出手段５に基づく車速（ＶＧ）と本機の車速センサ６から得られる車速（Ｖｓ）の平均化を行い、その平均化された車速を防除機Ｂの車速とすることができる。
【００３８】
ＧＰＳで得られた車速算出手段５に基づく車速（ＶＧ）と本機の車速センサ６から得られる車速（Ｖｓ）の平均化を行う理由は、電波の受信が不安定な場合（厚い雨雲、雪雲、地形の影響（谷、山のふもと）など）及びＧＰＳの電波の精度が変更される場合があるためＧＰＳで得られる車速が不安定となる恐れがある一方で、車輪のスリップ時などを除いて車速センサ６の信頼性が高いので、ＧＰＳから得られた車速と車速センサ６で得られた車速（車速パルスを読み込んで車速を計算する）を平均化して求めた車速に基づき、圃場１０アール当たりの設定薬剤散布量Ａに対応した計算圧力値と実際の吐水ホース６６の圧力Ｐが一致するように流量制御弁７３を制御して、ブーム４３，４４のノズル４５ａ，４５ｂからの薬剤散布量を変化させることで、車速の変動があっても圃場１０アール当たりの薬剤散布量Ａを安定して散布することが可能となる。
また、車速センサ６から得られた車速（Ｖｓ）が一定値（例えば０．３〜０．４ｍ/ｓ）以下のときは、ＧＰＳから得られた車速（ＶＧ）は防除機Ｂの薬剤散布量の算出用の制御に使用しないようにする。例えば、走行開始時の車速変化が不安定なときは、車速センサ６から得られた車速（Ｖｓ）を圃場１０アール当たりの設定薬剤散布量Ａに対応した薬剤散布圧力値の計算に利用して、ＧＰＳによる車速（ＶＧ）は利用しないようにすることで薬剤散布量の変動を抑えることができる。
【００３９】
これは所定車速以下の低速での走行時には、ＧＰＳによる車速（ＶＧ）は車速センサ６による車速（Ｖｓ）よりも精度が悪くなるために、薬剤散布量が過剰になりすぎたり、逆に足りない状況が発生する。そこでＧＰＳによる車速（ＶＧ）を用いないで、車速センサ６による車速（Ｖｓ）を用いる。
なお、走行開始後に車速センサ６で得られた車速（Ｖｓ）が一定値（例えば（０．３〜０．４ｍ/ｓ）を超えると、ＧＰＳによる車速（ＶＧ）に基づいて薬剤散布量を決めて散布を実行する。
【００４０】
このように、本実施例の薬剤散布作業車は、ＧＰＳ受信機８１と車速センサ６から、それぞれ得られる速度情報を車速として設定散布量から設定圧力を計算し、車速と連動させてセンターブーム４３とサイドブーム４４から圃場に散布する薬液量を流量制御モータで駆動する開閉弁７３の開度の調整をする構成を備えている。
【００４１】
上記薬液散布を行う薬液散布作業車両は、前輪１２の操舵角を検出する操舵角センサ７により旋回動作に入ったことを検出すると、旋回外側のサイドブーム４４を自動的に上下シリンダ２９により上昇させる自動ブーム昇降制御構成を有する制御装置１００を備えている。しかし、車速センサ６で計測される車速が所定車速以上のときは、旋回中は旋回外側のサイドブーム４４を、自動上昇を行わない制御構成とする。
【００４２】
なお、前記所定車速は、例えば副変速２段、主変速４段の構成とする。副変速１速と主変速１速で０．９ｋｍ／ｈ、副変速２速と主変速４速で１３．２ｋｍ／ｈの速度となる。圃場の状況により広大な作業平面では高速作業走行し、山間地では低速作業走行するので、一概に数値の特定は難しい。
この場合におけるサイドブーム４４の昇降制御のフローチャートを図８に示す。
このような制御構成により、路上走行等での高速走行時に自動ブーム昇降制御構成によるサイドブーム４４の破損等の不具合を防止できる。
【００４３】
オペレータの車両操縦能力に応じた薬液散布のタイミングを決めることができるが、旋回終了後にサイドブーム４４が下降完了してない間に車両が直進する領域を作ることがなくなる。このため、前記サイドブーム４４が下降完了してない間に車両が直進する領域を作ると薬液を散布しない直進領域が出来て、通常苗などを植え付けている車両直進区間に薬液を散布しない領域を生じる不具合がある。
そこで、制御装置１００は、操舵角センサ７の旋回角度が所定値（例；７度）に達すると自動的に旋回外側のサイドブーム４４の上昇を行い、次いで前記旋回角度が所定値（例；７度）に下がると、自動的に旋回外側のサイドブーム４４の下降を行う制御構成と、前記サイドブーム４４の上昇と下降の経過時間を区別して設定し、記憶しておく制御構成を設けている。この制御のフローチャートを図１０に示す。
こうして、旋回外側のサイドブーム４４の上昇時間と下降時間とが区別して設定され、記憶されるので、サイドブーム４４の上昇時間に応じた上昇量に合わせたサイドブーム４４の下降時間を設定でき、オペレータの車両操縦能力に応じた薬液散布のタイミングを決めることができる。そのため、旋回終了してない間にサイドブーム４４が下降完了したものとしてから薬液散布をはじめるなどの不具合がなくなる。また、前記サイドブーム４４が下降完了してない間に車両が直進する領域を作るような不具合もなくなる。また、圃場の状況、即ち旋回外側の畦等の障害物が低い場合などにおいては、旋回外側のサイドブームを上昇させすぎないようにすることで、下降する時間も早くなるので、速やかに次工程の散布作業を開始可能となる。
【００４４】
また図９の平面図の旋回走行（１）に示す畦際などで操舵角センサ７の旋回角度が所定値（例；７度）に達すると、旋回外側のサイドブーム４４を自動的に上昇させ、操舵角センサ７の旋回角度が０度の走行状態である直進走行（３）に移り、さらに操舵角センサ７の旋回角度に基づき更に所定角度（例；７度）旋回させて旋回走行（２）を行い、最初の旋回走行（１）から１８０度の旋回が終了したと判断した時（すなわちＵターンが完了して直進走行に入ると）に旋回外側のサイドブーム４４を下降させる場合に、サイドブーム４４の上昇時間に定数（Ｋ）を掛けて得た値を下降時間として設定する制御構成を備えることもできる。なお定数（Ｋ）は１以下の値である。
【００４５】
上記制御構成では、畦際などで１８０度のＵターンをして旋回が終了すると、旋回外側のサイドブーム４４を下降させて、初めてサイドブーム４４からの薬液散布が可能となるので、サイドブーム４４の上昇時間に定数（Ｋ）を乗算した値がサイドブーム４４の適切な下降量となるように予め定数（Ｋ）を設定しておくことで、下降時間に応じた適切な下降量とすることができ、旋回が終了して旋回外側のサイドブーム４４を下降させたときのサイドブーム４４からの薬液散布の開始タイミングを適切に決めることができる。この制御のフローチャートを図１１に示す。
【００４６】
また上記サイドブーム４４の上昇時間に乗算する定数（Ｋ）を変更して新たな下降時間の設定が可能な制御構成にすると、より適切なサイドブーム４４の下降時間が得られるので、薬液散布の開始タイミングをより適切に設定することができる。この制御のフローチャートを図１２に示す。
【００４７】
本実施例の車両が畦際などで旋回により操舵角センサ７の旋回角度に応じて旋回外側のサイドブーム４４を自動的に昇降制御する制御構成において、サイドブーム４４の自動昇降制御の入り切りを設定可能にする自動昇降入切設定スイッチ１４５（図２に示すように操縦席の右側にある）と、該スイッチ１４５より設定されたサイドブーム４４の昇降状態を目視できるモニタ画面に画像を表示するコントロールパネル１２０を有する構成としても良い。図３（ｂ）にはコントロールパネル１２０のモニタ画面の一例を示す。
自動昇降入切設定スイッチ１４５でサイドブーム４４の昇降を自動的に行うか否かをオペレータは自由に設定可能になり、また前記自動昇降入切設定スイッチ１４５の入切状態をモニタ画面４１で該スイッチ１４５自体の点灯などにより目視できるので薬液散布作業性に優れた走行車両が得られる。
【００４８】
また、操舵角センサ７による旋回検知前に旋回外側のサイドブーム４４が手動で上昇操作されると、前記手動操作時間が一定時間（例、２〜３秒）以上継続する場合は、操舵角センサ７による旋回角度の検知をしても旋回外側のサイドブーム４４を自動的に上昇させない制御構成としても良い。
この場合の制御のフローチャートを図１３に示すが、薬剤散布作業車両が薬液散布中であって、旋回する前にサイドブーム４４をオペレータが手動で上昇操作すると、その上昇時間をカウントし、上昇時間が所定時間（例２〜３秒）以上続くと、手動上昇フラグをセットして旋回が始まっても、手動上昇フラグがオンである限り、旋回外側のサイドブーム４４の自動的な上昇制御を行わないようにする。こうして車両の旋回時に旋回外側のサイドブーム４４が上昇し過ぎることを防ぐことができる。
【００４９】
本実施例の制御装置１００は、操舵角センサ７の所定の旋回角度（例；７度）の検知に基づき旋回外側のサイドブーム４４を自動的に上昇させてブーム上昇フラグをセットしているときに、操舵角センサ７による次の所定の旋回角度（例；７度）の検知に基づき旋回外側のサイドブーム４４を自動的に下降させる前、即ち車両が直進走行中（図９の直進走行（３））に手動によるサイドブーム４４を上方向または下方向に動かす昇降制御が行われると、ブーム上昇フラグをクリアにしておき、その後の最初の操舵角センサ７による旋回角度の検知（７度とは限らない）があると、自動上昇制御は行わない制御構成を採用しても良い。
【００５０】
これは旋回開始後、畦際などで９０度旋回した後に畦等に沿って直進走行中（図９の直進走行（３））に手動によるサイドブーム４４の昇降操作が行われるということは、何らかの原因で手動で昇降させたい場合があるからである。例えば、手動で上昇させる場合は、予期しない障害物のため、自動での上昇量（設定量）では足らない場合があるからである。また、手動で下降させる場合は、障害部はほとんど存在しない場合等であり、予めある程度下げておくことにより自動での下降が速やかに可能となるからである。
【００５１】
また、畦際などに沿って直進走行した後に、さらに９０度旋回して、１８０度の旋回を終了するときに、操舵角センサ７が所定の旋回角度（例；７度）があったことを検知した場合に、この旋回を制御装置１００が畦際に達すると行う車両が最初の９０度の旋回が開始されたと誤って判断してサイドブーム４４を自動上昇させてしまう誤動作を防ぐためである。この制御のフローチャートを図１４に示す。
【００５２】
また本実施例の制御装置１００は、操舵角センサ７の所定の旋回角度（例；７度）の検知に基づき旋回外側のサイドブーム４４を自動的に上昇させて、ブーム上昇フラグをセットしているときに、操舵角センサ７による次の所定の旋回角度（例；７度）の検知に基づき旋回外側のサイドブーム４４を自動的に下降させるとき、１８０度の旋回が終了したと判断して上昇フラグをクリアとする制御構成としても良い。
これは旋回開始から１８０度の旋回が終了すると確実に上昇フラグをクリアとしてその後の薬液散布作業時のサイドブーム４４の自動上昇降が行われないようにするためである。この制御のフローチャートを図１５に示す。
【００５３】
また、本実施例の制御装置１００は、操舵角センサ７の所定の旋回角度（例；７度）の検知に基づき旋回外側のサイドブーム４４を自動的に上昇させて、次いで操舵角センサ７による次の所定の旋回角度（例；７度）の検知に基づき旋回外側のサイドブーム４４を自動的に下降させる制御構成を備えている場合に、前記自動上昇後に手動の昇降操作があると、その手動の昇降操作時間を累計して１８０度の旋回終了時（復路での作業走行開始時）に、サイドブーム４４を自動下降するときに、前記自動上昇時間と累計手動操作時間を合算した値に所定の係数（Ｋ）を乗算した値をサイドブーム４４の自動下降時間とする制御構成を採用してもよい。
この制御のフローチャートを図１６に示す。ここでは、
旋回終了後の自動下降時間＝（自動上昇時間＋累計手動上昇時間）×Ｋ
となる。
【００５４】
また本実施例の制御装置１００は、操舵角センサ７の所定の旋回角度（例；７度）の検知に基づき旋回外側のサイドブーム４４を自動的に上昇させて、次いで操舵角センサ７による次の所定の旋回角度（例；７度）の検知に基づき旋回外側のサイドブーム４４を自動的に下降させる制御構成を備えている場合に、前記自動上昇後に手動操作があると、その手動操作時間を累計して１８０度の旋回終了時（復路での作業走行開始時）に、サイドブーム４４の自動下降するときに、前記自動上昇時間と累計手動操作時間を合算した値に所定の係数（Ｋ）を乗算した値をサイドブーム４４の累計手動下降時間を差し引いて自動下降時間とする制御構成を採用してもよい。
この制御のフローチャートを図１７に示す。
ここでは
旋回終了後の自動下降時間
＝（自動上昇時間＋累計手動上昇時間）×Ｋ−累計手動下降時間
となる。
【００５５】
また本実施例の制御装置１００は、操舵角センサ７の所定の旋回角度（例；７度）の検知に基づき旋回外側のサイドブーム４４を自動的に上昇させて、次いで操舵角センサ７による次の所定の旋回角度（例；７度）の検知に基づき旋回外側のサイドブーム４４を自動的に下降させる制御構成を備えている場合に、前記自動上昇後に手動操作があると、その手動操作時間を累計して１８０度の旋回終了時（復路での作業走行開始時）に、外側のサイドブーム４４の自動下降するときに、前記自動上昇時間と累計手動操作時間を合算した値に所定の係数（Ｋ）を掛け算した値をサイドブーム４４の手動下降時間累計値を差し引いて自動下降時間とする制御構成を採用してもよい。このとき旋回終了時に自動上昇後の手動操作時間より下降時間を計算するとき、自動上昇時間に対応する下降時間を下降時間の初期値として算入する。この制御のフローチャートを図１８に示す。
また、畦際などでのサイドブーム４４の前記自動上昇中と自動上昇後の両方で手動操作があると、１８０度の旋回終了時（復路での作業走行開始時）に、サイドブーム４４を自動下降させるときの自動下降時間として、自動上昇時間に所定の係数（Ｋ）を乗算した値に該サイドブーム４４の自動上昇中に操作した時間（上昇中補正値）と自動上昇後に操作した時間（上昇後補正値）を加えた値を用いる。
こうして１８０度の旋回制御のサイドブーム４４の適切な下降時間の設定が出来る。この制御のフローチャートを図１９に示す。
【００５６】
また畦際などでのサイドブーム４４の前記自動上昇中（自動上昇フラグがオンのとき）、前記旋回とは反対方向にステアリング操作が行われ、その反対方向への操舵角センサ７による所定の旋回角度が所定角度（例；７度）以上の時は、自動上昇フラグをクリアし、再び最初の旋回方向へのステアリング操作が行われても、旋回終了とは判定しない制御構成を備えている。従って、サイドブーム４４を下げることはしないし、また自動上昇フラグをクリアしているので自動上昇も行われないので、旋回開始後の正常な旋回終了動作以外の動作が行われると、サイドブーム４４の誤動作を防ぐことができる。この制御フローチャートを図２０に示す。
【００５７】
また、畦際などでのサイドブーム４４の前記自動的にサイドブーム４４を下降中に手動操作が行われると、自動上昇フラグがクリアする制御構成を備えている。
従って、１８０度の旋回終了時（復路での作業走行開始時）に確実に自動上昇フラグをクリアすることができる、以後の旋回時にサイドブーム４４の誤動作を防止できる。この制御のフローチャートを図２１に示す。
【産業上の利用可能性】
【００５８】
本発明は、自走型散布機を備えた薬剤散布用の作業車両に限らず、肥料などを散布する作業車両にも利用可能性がある。
【符号の説明】
【００５９】
１    車体                                １ａ  フック  
３    リフトリンク                        ４    ヒッチブラケット  
５    車速算出手段                        ６    車速センサ
７    操舵角センサ                        ８    ポンプスイッチ
９    ストロークセンサ                    １０    流量制御モータ
１１    圧力センサ                        １２    前輪
１３    後輪                              １４    ステアリングハンドル
１５    ボンネット                        １６    弁開度センサ
１７    操縦席
１８    薬液タンク                        １９    散布ブーム
２３    支柱                              ２４    アッパリンク
２５    ロワリンク                        ２７    昇降シリンダ
２６    シリンダ取付支柱
２８    油圧タンク付ソレノイドバルブ
２９    上下シリンダ（ローリングシリンダ）
３０    開閉シリンダ                      ３２    ブーム昇降ソレノイド
３４    ブーム水平ソレノイド              ３６    ブザー
４０    サイドブーム受け
４３    センターブーム                    ４４    サイドブーム
４５（４５ａ，４５ｂ）    噴霧ノズル
５０    タンク側ステップ                  ５１    傾斜部
５３    本機側ステップ
５４    フロア                            ５５    梯子部材
５６    本機ダッシュパネル                ５９    ハンドルポスト
６１    給水路（ホース）
６２    給水コック                        ６４    サクションフィルタ
６５    防除ポンプ                        ６６    吐水ホース
６７    薬液路                            ６９    噴霧コック
７０    安全弁                            ７１    エアチャンバー
７３    流量制御弁                        ７４    流量センサ
７５    余水ホース                        ７９    攪拌ホース
８１    ＧＰＳ受信機                      ８２    リンク傾斜センサ
８３    リンク傾斜角速度センサ            １００    本機コントローラ
１０１    防除機コントローラ              １０２    メモリ
１２０    コントローラパネル              １２２    ディスプレイ
１２２ａ  インジケータ                    １２３    散布設定表示
１２４    圧力表示                        １２５    流量表示
１２６    流量累計表示
１２８    表示切換ボタン                  １２９    自動スイッチ
１３０    パイロットランプ                １３１    散布設定スイッチ
１３２、１３３    増減ボタンスイッチ
１３４    累計リセットスイッチ
１３６    散布量スイッチ                  １３７    圧力スイッチ
１３８ａ  ブーム角度右センサ              １３８ｂ  ブーム角度左センサ
１４０    下降時間設定スイッチ            １４２    手動昇降スイッチ
１４５    自動昇降スイッチ
【図１】
0005699867.tif 000002
【図２】
0005699867.tif 000003
【図３】
0005699867.tif 000004
【図４】
0005699867.tif 000005
【図５】
0005699867.tif 000006
【図６】
0005699867.tif 000007
【図７】
0005699867.tif 000008
【図８】
0005699867.tif 000009
【図９】
0005699867.tif 000010
【図１０】
0005699867.tif 000011
【図１１】
0005699867.tif 000012
【図１２】
0005699867.tif 000013
【図１３】
0005699867.tif 000014
【図１４】
0005699867.tif 000015
【図１５】
0005699867.tif 000016
【図１６】
0005699867.tif 000017
【図１７】
0005699867.tif 000018
【図１８】
0005699867.tif 000019
【図１９】
0005699867.tif 000020
【図２０】
0005699867.tif 000021
【図２１】
0005699867.tif 000022